(57)【要約】【課題】凸部を強調することのできる外壁板を提供すること。【解決手段】外壁板１０は、基板１２の表面に、該表面から突出する複数の矩形状の凸部１８が設けられている。凸部１８は、各々が基板１２の表面に対して傾斜する水平方向に沿って延びる上側傾斜側壁面２０Ｕ、水平方向に沿って延びる下側傾斜側壁面２０Ｄ、及び鉛直方向に沿って延びる一対の縦傾斜辺の４辺を有している。さらに、基板１２には、上側傾斜側壁面２０Ｕｓの傾斜角度αが、下側傾斜側壁面２０Ｄｓの傾斜角度βよりも小さく設定された強調凸部１８Ｓが、互いに離間して複数設けられている。強調凸部１８Ｓの上側に隣接する凸部１８Ｕと強調凸部１８Ｓとの間の横目地１６における目地底部の幅をａ、強調凸部１８Ｓの下側に隣接する凸部１８Ｄと強調凸部１８Ｓとの間の横目地１６における目地底部の幅をｂとしたときに、ａ＞ｂに設定されている。【選択図】図４
2018131826.tif 000002
【特許請求の範囲】
【請求項１】
矩形状の基板と、
前記基板の表面に設けられ、鉛直方向、及び水平方向に沿って延びる複数の目地によって区画され、前記表面から突出する複数の矩形状の凸部と、
を備え、
前記凸部は、各々が前記表面に対して傾斜し、水平方向に沿って延びる上側傾斜側壁面、水平方向に沿って延びる下側傾斜側壁面、及び鉛直方向に沿って延びる一対の縦傾斜辺の４辺を有し、
前記基板には、前記上側傾斜側壁面の前記表面を基準とした傾斜角度αが、下側傾斜側壁面の前記表面を基準とした傾斜角度βよりも小さく設定された強調凸部が、互いに離間して複数設けられており、
前記強調凸部の上側に隣接する上側凸部と前記強調凸部との間の上側横目地における目地底部の幅をａ、前記強調凸部の下側に隣接する下側凸部と前記強調凸部との間の下側横目地における目地底部の幅をｂとしたときに、ａ＞ｂに設定されている、外壁板。
【請求項２】
複数の前記強調凸部が、前記基板の表面において斜め方向に離間して設けられている、請求項１に記載の外壁板。
【請求項３】
前記上側傾斜側壁面の目地底部側の傾斜角度をα１、前記上側傾斜側壁面の凸部頂面側の傾斜角度をα２としたときに、α１＞α２に設定されており、
前記下側傾斜側壁面の目地底部側の傾斜角度をβ１、前記下側傾斜側壁面の凸部頂面側の傾斜角度をβ２としたときに、β１≧β２に設定されている、請求項１または請求項２に記載の外壁板。
【発明の詳細な説明】
【技術分野】
【０００１】
本発明は、建物等に使用される外壁板に関する。
【背景技術】
【０００２】
従来、板表面に、上下方向、及び水平方向に延びる複数の目地によって区画された矩形のブロック状の凸部を上下方向、及び水平方向に複数配置した構成の外壁板がある（例えば、特許文献１参照）。
【先行技術文献】
【特許文献】
【０００３】
【特許文献１】特開２００３−１８４２６２号公報
【発明の概要】
【発明が解決しようとする課題】
【０００４】
従来の外壁板では、複数枚の外壁板を配置した場合に、外壁板間における目地ずれによる外観の違和感を低減して意匠性を高くすることを目的としているが、外壁板全体を見たときに比較的単調な外観であり、凸部が強調された意匠性を有するものではなかった。
【０００５】
本発明は上記問題を考慮し、凸部を強調することのできる外壁板を提供することが目的である。
【課題を解決するための手段】
【０００６】
請求項１に記載の外壁板は、矩形状の基板と、前記基板の表面に設けられ、鉛直方向、及び水平方向に沿って延びる複数の目地によって区画され、前記表面から突出する複数の矩形状の凸部と、を備え、前記凸部は、各々が前記表面に対して傾斜し、水平方向に沿って延びる上側傾斜側壁面、水平方向に沿って延びる下側傾斜側壁面、及び鉛直方向に沿って延びる一対の縦傾斜辺の４辺を有し、前記基板には、前記上側傾斜側壁面の前記表面を基準とした傾斜角度αが、下側傾斜側壁面の前記表面を基準とした傾斜角度βよりも小さく設定された強調凸部が、互いに離間して複数設けられており、前記強調凸部の上側に隣接する上側凸部と前記強調凸部との間の上側横目地における目地底部の幅をａ、前記強調凸部の下側に隣接する下側凸部と前記強調凸部との間の下側横目地における目地底部の幅をｂとしたときに、ａ＞ｂに設定されている。
【０００７】
請求項１に記載の外壁板には、基板の表面に、鉛直方向、及び水平方向に沿って延びる複数の目地によって区画され、表面から突出する複数の矩形状の凸部を備えており、その凸部は、各々が基板表面に対して傾斜する水平方向に沿って延びる上側傾斜側壁面、水平方向に沿って延びる下側傾斜側壁面、及び鉛直方向に沿って延びる一対の縦傾斜辺の４辺を有し、基板には、上側傾斜側壁面の前記表面を基準とした傾斜角度αが、下側傾斜側壁面の前記表面を基準とした傾斜角度βよりも小さく設定された強調凸部が、互いに離間して複数設けられ、強調凸部の上側に隣接する上側凸部と強調凸部との間の上側目地における目地底部の幅をａ、前記強調凸部の下側に隣接する下側凸部と強調凸部との間の下側目地における目地底部の幅をｂとしたときに、ａ＞ｂに設定されているため、強調凸部が無い場合に比較して、強調凸部を強調して見せることができる。
【０００８】
ここで、強調して見せることができる理由としては、日中の、外壁板よりも上側からの自然光（例えば、太陽からの光、及び空からの光）が外壁板に当たった場合、強調凸部の上側傾斜側壁面は上向きに傾斜しているため、強調凸部の上側傾斜側壁面に当たった自然光は比較的水平方向に向けて反射させることができるが、強調凸部の下側傾斜側壁面は下向きに傾斜しているため強調凸部自身の影になって自然光を水平方向に反射することが困難となる。
【０００９】
したがって、例えば、正面側から外壁板を見たときに、強調凸部の上側傾斜側壁面は自然光を正面側に反射することができるため比較的明るく見えるが、強調凸部の下側傾斜側壁面は自然光を反射することが困難であるため、上側傾斜側壁面に対して相対的に暗く見える。
【００１０】
強調凸部の上側傾斜側壁面の傾斜角度αは、強調凸部の下側傾斜側壁面の傾斜角度βに比較して小さいため、外壁板を正面側から見たときに、上側傾斜側壁面は下側傾斜側壁面に比較して幅広に見え、下側傾斜側壁面は上側傾斜側壁面に比較して相対的に幅狭に見える。
【００１１】
また、強調凸部の上方に位置する上側目地の目地底部の幅は、強調凸部の下方に位置する下側目地の目地底部の幅に比較して幅広であるため自然光を反射する面積が広いが、強調凸部の下方に位置する下側目地の目地底部の幅は、強調凸部の上方に位置する上側目地の目地底部の幅に比較して幅狭であるため自然光を反射する面積が狭い。
【００１２】
このため、この外壁板を自然光下において正面側から見たときに、強調凸部の上側部分では、明るく見え、かつ明るく見える面積が大となるのに対し、強調凸部の下側部分では、上側部分に比較して相対的に幅狭で暗く見えるため、強調凸部に陰影感が生まれ、自然光下において、強調凸部を視覚的、即ち、意匠的に強調することできる。
【００１３】
請求項２に記載の発明は、請求項１に記載の外壁板において、複数の前記強調凸部が、前記基板の表面において斜め方向に離間して設けられている。
【００１４】
請求項２に記載の外壁板では、複数の強調凸部が、基板の表面において斜め方向に離間して設けられているため、上下方向に離間して設けた場合に比較して、強調凸部の配置にゆらぎ感を与えることができる。
【００１５】
請求項３に記載の発明は、請求項１または請求項２に記載の外壁板において、前記上側傾斜側壁面の目地底部側の傾斜角度をα１、前記上側傾斜側壁面の凸部頂面側の傾斜角度をα２としたときに、α１＞α２に設定されており、前記下側傾斜側壁面の目地底部側の傾斜角度をβ１、前記下側傾斜側壁面の凸部頂面側の傾斜角度をβ２としたときに、β１≧β２に設定されている。
【００１６】
強調凸部において、上側傾斜側壁面の傾斜角度、及び下側傾斜側壁面の傾斜角度は、目地底部側から凸部頂面側に向けて一定であってもよく、異なっていてもよい。上側傾斜側壁面の傾斜角度、及び下側傾斜側壁面の傾斜角度が、目地底部側と凸部頂面側とで異なっていても強調凸部に陰影感を与えることができる。また、上側傾斜側壁面の傾斜角度、及び下側傾斜側壁面の傾斜角度が、目地底部側と凸部頂面側とで異ならせることで、上側傾斜側壁面の中、及び上側傾斜側壁面の中で陰影感を与えることができ、意匠性を更に向上することができる。
【発明の効果】
【００１７】
以上説明したように、本発明の外壁板は、陰影感を与えて凸部を強調することができる、という優れた効果を有する。
【図面の簡単な説明】
【００１８】
【図１】本発明の第１の実施形態に係る外壁板の正面図である。
【図２】（Ａ）は第３ユニットの正面図であり、（Ｂ）は第２ユニットの正面図であり、（Ｃ）は第１ユニットの正面図である。
【図３】第１ユニットの正面図である。
【図４】第１ユニットの強調凸部付近の縦断面図（図３の４−４線断面図）である。
【図５】外壁板に光が当たった場合の光路を示す外壁板の要部を示す縦断面図である。
【図６】本発明の第２の実施形態に係る外壁板の、強調凸部付近の縦断面図である。
【発明を実施するための形態】
【００１９】
［第１の実施形態］
以下、図１〜図５を用いて、本発明の第１の実施形態に係る外壁板１０について説明する。図１には、建物の外装材として使用される本実施形態の外壁板１０が正面図で示されている。
【００２０】
図１〜図４に示すように、この外壁板１０は、鉛直方向（上下方向）の寸法が、水平方向（横方向）の寸法よりも長く、一定厚さで正面視の形状が矩形状とされた平板状の基板１２を備えている。
【００２１】
基板１２の表面１２Ａには、図１〜５の中に示す鉛直方向に沿って延びる縦目地１４、及び水平方向に沿って延びる横目地１６によって区画され、水平方向の寸法が鉛直方向の寸法よりも長い矩形状とされた凸部１８が複数形成されている。なお、本実施形態の外壁板１０においては、縦目地１４、及び横目地１６の深さ寸法、言い換えれば凸部１８の高さ寸法は、全て同一寸法である（図４参照）。なお、図４に示す２点鎖線は、基板１２と凸部１８との仮想の境界線を示しており、基板１２は凸部１８に対して一体化している。
【００２２】
図１、及び図２に示すように、基板１２には、基本的に横幅寸法の異なる複数の凸部１８の集合体からなる第１ユニットＵ１、第２ユニットＵ２、及び第３ユニットＵ３が複数設けられている。複数の凸部１８は、基本的に横幅寸法の長いものと、横幅寸法の長いものに比較して、相対的に横幅寸法が略半分の横幅寸法の短いものとで構成されている。さらに、複数の凸部１８は、基本的に上下方向の寸法は略同一であるが、配置される位置によって、隣接する他の凸部１８との関係で微妙に上下寸法の長さが異なっている。
【００２３】
本実施形態の基板１２では、同一ユニットが隣接しないように、第１ユニットＵ１、第２ユニットＵ２、及び第３ユニットＵ３が下から順に配置されている。
【００２４】
各凸部１８は、何れにおいても、鉛直方向に沿って断面にした縦断面形状、及び水平方向に沿って断面にした水平断面形状が、共に台形状とされている。以降、凸部１８において、矩形の上側の辺に対応する側面を上側傾斜側壁面２０Ｕ、矩形の下側の辺に対応する側面を下側傾斜側壁面２０Ｄ、矩形の右側の辺に対応する側面を右側傾斜側壁面２０ＲＳ、矩形の左側の辺に対応する側面を左側傾斜側壁面２０ＬＳと呼ぶ。
【００２５】
また、これらの凸部１８を区画する縦目地１４の目地底部（溝底）、及び横目地１６の目地底部（溝底）は、基板１２の裏面と平行に形成されている。
【００２６】
これら第１ユニットＵ１、第２ユニットＵ２、及び第３ユニットＵ３には、基本的に横幅寸法の長い凸部である強調凸部１８Ｓが少なくとも１つ配置されている。第１ユニットＵ１には、横幅方向の中央よりもやや左寄りに強調凸部１８Ｓが配置されている。第２ユニットＵ１には、横幅方向の両端側に強調凸部１８Ｓが配置されている。また、第３ユニットＵ１には、横幅方向の中央よりもやや右寄りに強調凸部１８Ｓが配置されている。
なお、図１〜３において、強調凸部１８Ｓの位置が分かり易いように、強調凸部１８Ｓと、その上下の凸部１８（２つある場合は一方のみ）とに網点を付している。
【００２７】
本実施形態の第１ユニットＵ１では、強調凸部１８Ｓの上側に、基本的に横幅寸法の短い凸部１８Ｕと、基本的に横幅寸法の長い凸部１８Ｕの半分の部分とが隣接しており、強調凸部１８Ｓの下側に、基本的に横幅寸法の短い凸部１８Ｄと基本的に横幅寸法の長い凸部１８Ｄの半分の部分とが隣接している。
【００２８】
本実施形態の第２ユニットＵ２では、強調凸部１８Ｓの上側に、基本的に横幅寸法の短い凸部１８Ｕと、基本的に横幅寸法の長い凸部１８Ｕの半分の部分とが隣接しており、強調凸部１８Ｓの下側に、基本的に横幅寸法の短い凸部１８Ｄが二つ隣接している。
【００２９】
また、本実施形態の第３ユニットＵ３では、強調凸部１８Ｓの上側に、基本的に横幅寸法の短い凸部１８Ｕと、基本的に横幅寸法の長い凸部１８Ｕの半分の部分とが隣接しており、強調凸部１８Ｓの下側に、基本的に横幅寸法の短い凸部１８Ｄと、基本的に横幅寸法の長い凸部１８Ｄの半分の部分とが隣接している。
【００３０】
図４は、図３に示す第１ユニットＵ１の４−４線断面図であり、図４には、強調凸部１８Ｓ、強調凸部１８Ｓの上側に位置する上側凸部１８Ｕ、及び強調凸部１８Ｓの下側に位置する下側凸部１８Ｄの縦断面形状が示されている。
【００３１】
強調凸部１８Ｓにおいては、目地底部を基準とする上側傾斜側壁面２０Ｕｓの傾斜角度をα、目地底部を基準とする下側傾斜側壁面２０Ｄｓの傾斜角度をβとしたときに、α＜βの関係を有している。
【００３２】
また、本実施形態の外壁板１０においては、図１に示すように、強調凸部１８Ｓを基準として鉛直方向に延びる仮想線ＦＬ上に、３つの強調凸部１８Ｓが配置されており、仮想線ＦＬ上に配置されるこれらの３つの強調凸部１８Ｓにおいて、以下の関係がある。
【００３３】
図４に示すように、強調凸部１８Ｓと強調凸部１８Ｓの上側に配置される凸部１８Ｕとの間の横目地１６の目地底部幅をａ、強調凸部１８Ｓと強調凸部１８Ｓの下側に配置される凸部１８Ｄとの間の横目地１６の目地底部幅をｂとしたときに、ａ＞ｂの関係を有している。
【００３４】
強調凸部１８Ｓの上側の凸部１８Ｕにおいては、目地底部を基準とする上側傾斜側壁面２０Ｕｕの傾斜角度をβ、目地底部を基準とする下側傾斜側壁面２０Ｄｕの傾斜角度をαとしたときに、α＜βの関係を有している。
【００３５】
なお、仮想線ＦＬ上に、強調凸部１８Ｓが含まれていない３つの凸部１８が連続して配置されている場合、これら３つの凸部１８においては、上記のα＜βと、ａ＞ｂとが同時に満足されていない。
【００３６】
本実施形態の外壁板１０では、以上のように強調凸部１８Ｓが設けられた第１ユニットＵ１、第２ユニットＵ２、及び第３ユニットＵ３が下から順に配置されることで、図１に示すように外壁板１０全体を見たときに、複数の強調凸部１８Ｓが、斜め方向（図１では、全体的に左上がり方向）に、不等間隔で、かつ配列方向の若干の変更を伴いながら、視覚的に揺らぎ感が得られるように配置されている。ここでの揺らぎ感とは、一定の規則性を有していないことを意味し、ある程度の不規則性を有するものを意味する。
【００３７】
（作用、効果）
次に、本実施形態の外壁板１０の作用、効果を説明する。
本実施形態の外壁板１０を建築物の外壁として用いた場合、一例として、図５に示すように、太陽や空からの自然光ＳＬは斜め上方等から外壁板１０の表面に照射される。この外壁板１０を正面側から見たときに、強調凸部１８Ｓの上側傾斜側壁面２０Ｕｓは自然光ＳＬを主として正面側に反射することができるため比較的明るく見えるが、強調凸部１８Ｓの下側傾斜側壁面２０Ｄｓは、自然光ＳＬを正面側に反射することが困難であるため、上側傾斜側壁面２０Ｕｓに対して相対的に暗く見える。
【００３８】
また、強調凸部１８Ｓの上側傾斜側壁面２０Ｕｓの傾斜角度α（図４参照）は、強調凸部１８Ｓの下側傾斜側壁面２０Ｄｓの傾斜角度β（図４参照）に比較して小さいため、外壁板１０を正面側から見たときに、上側傾斜側壁面２０Ｕｓは下側傾斜側壁面２０Ｄｓに比較して相対的に幅広に見え（幅ｃ）、下側傾斜側壁面２０Ｄｓは上側傾斜側壁面２０Ｕｓに比較して相対的に幅狭に見える（幅ｄ）。
【００３９】
さらに、強調凸部１８Ｓの上方に位置する横目地１６の目地底部の幅ａ（図４参照）は、強調凸部１８Ｓの下方に位置する横目地１６の目地底部の幅ｂ（図４参照）に比較して幅広であるため、強調凸部１８Ｓの上方に位置する横目地１６は自然光ＳＬが反射する面積が広いが、強調凸部１８Ｓの下方に位置する横目地１６の目地底部の幅ｂは、強調凸部１８Ｓの上方に位置する横目地１６の目地底部の幅ａに比較して幅狭であるため、強調凸部１８Ｓの下方に位置する横目地１６は、自然光ＳＬを反射する面積が狭い。
【００４０】
このため、この外壁板１０を自然光下において正面側から見たときに、強調凸部１８Ｓの上側部分は、明るく見え、かつ幅広で明るく見える面積が大となるのに対し、強調凸部１８Ｓの下側部分では、上側部分に比較して相対的に暗く、かつ幅狭に見えるため、強調凸部１８Ｓの上下の明暗差によって陰影感が生まれ、自然光下において、強調凸部１８Ｓを視覚的、即ち、意匠的に強調することできる。
【００４１】
なお、強調凸部１８Ｓ以外の凸部１８では、強調凸部１８Ｓのように上側傾斜側壁面２０Ｕｓの傾斜角度α、下側傾斜側壁面２０Ｄｓの傾斜角度β、強調凸部１８Ｓと強調凸部１８Ｓの上側に配置される凸部１８Ｕとの間の横目地１６の目地底部幅ａ、強調凸部１８Ｓと強調凸部１８Ｓの下側に配置される凸部１８Ｄとの間の横目地１６の目地底部幅ｂの関係において、α＜β、及びａ＞ｂを同時に満足していないため、例えば、凸部１８の上側で明るく見えても幅が狭い、凸部１８の下側で暗くなり難い等の理由によって、強調凸部１８Ｓを含んだ領域部分（強調凸部１８Ｓと、上側の凸部１８Ｕと、下側の凸部１８Ｕとの集合体）と比較して、凸部１８の上下での明暗を大きくすることが困難となり、そのため、陰影感を強調することが困難となる。
【００４２】
さらに、本実施形態の外壁板１０では、図１に示すように外壁板１０全体を見たときに、複数の強調凸部１８Ｓが、斜め方向（図１では、全体的に左上がり方向）に、不等間隔で、かつ配列方向の若干の変更を伴いながら配置されており、複数の外壁板１０を横方向に繋げて配置すると、建築物の外壁面全体を見たときに、複数の強調凸部１８Ｓが、１点鎖線Ａで囲んだ部分で示すように、斜め方向に不等間隔で、かつ配列方向の若干の変更を伴いながら配置されるようになっている。したがって、複数の強調凸部１８Ｓが、例えば、一定の間隔で上下方向に配置されている場合に比較して、視覚的に揺らぎ感が得られており、単調な意匠性になっていない。
さらに、本実施形態の外壁板１０は、図１に示すように、複数の外壁板１０を横方向に繋げて配置した場合、２点鎖線Ｂで囲んだ部分で示すように、一方の外壁板１０の第２ユニットＵ２と他方の外壁板１０の第２ユニットＵ２とが並んだ部分において、一方の第２ユニットＵ２の側部に配置される強調凸部１８Ｓと他方の第２ユニットＵ２の側部に配置される強調凸部１８Ｓとが一体化したように見え、陰影感をより強調することができる。
このように、本実施形態の外壁板１０を横方向に連続して配置することで、一方の外壁板１０の第２ユニットＵ２の強調凸部１８Ｓが、隣接する他方の外壁板１０の第２ユニットＵ２の強調凸部１８Ｓと一体のようになると共に、複数の強調凸部１８Ｓが間隔を開けて斜めに配置され、それによって複数の強調凸部１８Ｓが壁面全体に万遍無く配置できる。
なお、複数の強調凸部１８Ｓは左下がり方向に配置されていてもよく、上下方向に配置されていてもよく、互いに離間してランダムに配置されていてもよい。
【００４３】
［第２の実施形態］
以下、図６を用いて、本発明の第２の実施形態に係る外壁板１０について説明する。なお、第１の実施形態と同一仕様には同一符号を付し、その説明は省略する。
【００４４】
図６に示すように、本実施形態の外壁板１０では、強調凸部１８Ｓの断面形状が第１の実施形態とは異なっている。図６に示すように、上側傾斜側壁面２０Ｕｓにおいては、目地底部側と強調凸部１８Ｓの凸部頂面側とで傾斜角度が異なっており、目地底部側の傾斜角度をα１、凸部頂面側の傾斜角度をα２としたときに、α１＞α２とされている。また、下側傾斜側壁面２０Ｄｓにおいては、目地底部側の傾斜角度をβ１、凸部頂面側の傾斜角度をβ２としたときに、β１≧β２とされている。
【００４５】
このように、本実施形態のように、上側傾斜側壁面２０Ｕｓの傾斜角度、及び下側傾斜側壁面２０Ｄｓの傾斜角度が目地底部側と強調凸部１８Ｓの凸部頂面側とで異なっていても、第１の実施形態と同様に強調凸部１８Ｓを意匠的に強調することできる。
【００４６】
本実施形態の外壁板１０において、一例として、ａ＞４ｍｍ、ｂ＜４ｍｍとし、かつ、α１＝６０°、α２＝４０°（＜α１）、β１＝６０°、β２＝６０°（＝β１）または４５°（＜β１）とすることができる。
図６に示す外壁板１０では、強調凸部１８Ｓの上側傾斜側壁面２０Ｕｓにおいて、横目地１６の目地底部から２ｍｍまでがα１とされ、その上がα２とされている。
なお、例えば、α１＝６０°のとき、α２は、例えば４０°以上６０°より小さい範囲とすることができ、強調凸部１８Ｓ毎にα２が異なっていてもよい。
また、強調凸部１８Ｓの下側傾斜側壁面２０Ｄｓにおいて、横目地１６の目地底部から２ｍｍまでがβ１とされ、その上がβ２とされている。
【００４７】
また、強調凸部１８Ｓの陰影感を強調することができれば、上側傾斜側壁面２０Ｕｓ、及び下側傾斜側壁面２０Ｄｓは、本実施形態のように傾斜角度が２段階に変化することに限らず、３段階以上に変化していてもよく、徐々に変化していてもよい。
【００４８】
［その他の実施形態］
なお、本発明について実施形態の一例を説明したが、本発明はかかる実施形態に限定されるものではなく、本発明の範囲内にて他の種々の実施形態が可能である。
上記実施形態では、凸部の形状が基本的に２種類であったが、凸部の形状は３種類以上あってもよい。
また、目地底部の幅、上側傾斜外側機壁面の傾斜角度、下側傾斜外側機壁面の傾斜角度は、本発明の趣旨を逸脱しない範囲で種々変更が可能である。
上記実施形態の凸部、及び強調凸部の高さは全て同一寸法であったが、高さ寸法は凸部毎に異なっていてもよい。例えば、強調凸部の高さ寸法を、他の凸部の高さ寸法よりも高くしてもよい。
【符号の説明】
【００４９】
１０    外壁板
１８    凸部
１８Ｓ  強調凸部
２０Ｕ  上側傾斜側壁面
２０Ｄ  下側傾斜側壁面
α      傾斜角度
β      傾斜角度
α１    傾斜角度（目地底部側）
α２    傾斜角度（凸部表面側）
β１    傾斜角度（目地底部側）
β２    傾斜角度（凸部表面側）
【図１】
2018131826.tif 000003
【図２】
2018131826.tif 000004
【図３】
2018131826.tif 000005
【図４】
2018131826.tif 000006
【図５】
2018131826.tif 000007
【図６】
2018131826.tif 000008